(57)【要約】【課題】インストルメントパネルに収納された車両搭載電子機器の交換を容易に行うこと。【解決手段】インストルメントパネル３０の収納部３１，３２に収納される車両搭載電子機器５０，６０を同一形状に構成し、各車両搭載電子機器５０，６０の溝部５５，５６および６５，６６をガイド３８〜４１にそれぞれ係合させて、収納部３１，３２に挿入し、さらに車両搭載電子機器５０，６０のブラケット５１，５２および６１，６２をインストルメントパネル３０の取付カバー３３にねじ止めすることで、車両搭載電子機器５０，６０を収納部３１，３２内に固定する。【選択図】      図１
2004276812.tif 000002
【特許請求の範囲】
【請求項１】
車両のインストルメントパネルに設けられた収納部に収納され、印字部と、前記印字部を駆動させるドライバ部と、前記印字部に供給される用紙を格納する給紙部を有した情報の印字を行う情報印字装置において、
前記印字部、ドライバ部および給紙部は、それぞれ別体のユニットに構成され、着脱可能に装着されることを特徴とする情報印字装置。
【請求項２】
前記印字部、前記ドライバ部および前記給紙部の部位のうち、少なくとも２つの部位は、一つのユニットに一体構成されることを特徴とする請求項１に記載の情報印字装置。
【請求項３】
車両のインストルメントパネルに設けられた収納部に収納される電子機器において、
情報の印字を行う情報印字手段と、
情報表示を行う表示部と、
前記表示部を回動させる回動手段とを備えており、
前記回動手段による前記表示部の回動動作に連動し、前記情報印字手段を駆動させることを特徴とする電子機器。
【請求項４】
前記情報印字手段は、前記回動手段に歯合する歯合手段を備えており、
前記歯合手段により前記回動手段による前記表示部の回動動作に連動させて、前記情報印字手段を駆動させることを特徴とする請求項３に記載の電子機器。
【請求項５】
車両のインストルメントパネルに設けられた収納部に収納される電子機器において、
情報表示を行う表示部と、
前記表示部を回動させる回動手段と、
情報の印字を行う情報印字手段とを備えており、
前記表示部の裏面に前記情報印字手段が配設されてなることを特徴とする電子機器。
【請求項６】
車両のインストルメントパネルの収納部に着脱可能に収納された複数の車両搭載電子機器と、
前記複数の車両搭載電子機器を制御するための操作盤とを備えるとともに、
前記操作盤は、前記車両搭載電子機器から所定情報を取り込む情報取込手段と、
前記車両搭載電子機器から取り込まれた情報を、一時記憶させる記憶手段とを備えており、
前記操作盤に情報印字装置が接続されると、前記記憶手段に記憶されている情報を、前記情報印字装置によって印字させることを特徴とする情報印字システム。
【発明の詳細な説明】
【０００１】
【発明の属する技術分野】
この発明は、車載用情報印字装置、電子機器および情報印字システムに関するものである。
【０００２】
【従来の技術】
近年、趣味の多様化に伴い、車両にも種々の電子機器を搭載する場合が増加しており、そのような電子機器には、たとえばカーナビゲーション装置、ＣＤプレーヤ装置、ＤＶＤプレーヤ装置、ＭＤプレーヤ装置などがある。このような車両搭載電子機器１０，１１は、図１１の斜視図に示すように、それぞれが一つのユニットとして構成されており、図示しないスピードメータやタコメータなどを備えた計器ユニットやエアコン用の空調操作ユニットや小物収納用のグローブボックスなどが収納されたインストルメントパネル２０の所定収納部２１に収納され、さらにこの収納部２１の前面にパネルカバー２２がねじ止めされて取り付けられている。各電子機器１０，１１は、この収納部２１前面に取り付けられたパネルカバー２２によって、収納部２１内に固定された状態となっている。情報印字装置においては、このようなインストルメントパネル２０の収納部２１に収納するか、座席上や足場などに配置されていた。そして、カーナビゲーション装置などに接続されて、装置からの情報を印字するようになっている。
【０００３】
【特許文献１】
特開２００１−６０３００号公報（第２−４頁、図３）
【０００４】
【発明が解決しようとする課題】
ところが、情報印字装置を収納部に収納すると、カーナビゲーション装置などの必要性の高い装置を配置することができなくなる。また、収納部を大きくする方法も考えられるが、計器ユニットやグローブボックスなどとの配置の関係で必要以上に大きくすることが困難である。また、座席や足場に置くと、乗員が増えると置き場がなくなったり、乗員がゆとりをもって着座することができなくなるといった問題が生じる。
【０００５】
そこで、印字装置や他の電子機器を一体にすることが考えられる。たとえば特許文献１に示すように、ＤＳＲＣ（Ｄｅｄｉｃａｔｅｄ  Ｓｈｏｒｔ  Ｒａｎｇｅ  Ｃｏｍｍｕｎｉｃａｔｉｏｎ）処理部と印字部（プリンタ）とから車載器を構成し、ＤＳＲＣ通信によって得た駐車場の駐車位置の情報などを印字して記録に残しておくものが案出されている。しかし、この従来例には、一体化するための具体的構成が記載されていない。
【０００６】
この発明は、上記問題点に鑑みなされたもので、インストルメントパネルの収納部を不要に大きくせずに複数の電子機器などを配置することができる情報印字装置、電子機器および情報印字システムを提供することを目的とする。
【０００７】
この発明の他の目的は、車両搭載電子機器の情報を容易に印字することができる情報印字システムを提供することを目的とする。
【０００８】
【課題を解決するための手段】
上記目的を達成するため、請求項１にかかる情報印字装置では、車両のインストルメントパネルに設けられた収納部に収納され、印字部と、前記印字部を駆動させるドライバ部と、前記印字部に供給される用紙を格納する給紙部を有した情報の印字を行う情報印字装置において、前記印字部、ドライバ部および給紙部は、それぞれ別体のユニットに構成され、着脱可能に装着されることを特徴とする情報印字装置が提供される。
【０００９】
この発明によれば、プリンタの印字部、ドライバ部および給紙部を別のユニット構成とすることで、プリンタをインストルメントパネルの収納部へ分割して装着させることを可能にする。
【００１０】
また、請求項２にかかる情報印字装置では、前記印字部、前記ドライバ部およびは前記給紙部の部位のうち、少なくとも２つの部位は、一つのユニットに一体構成されることを特徴とする。
【００１１】
この発明によれば、プリンタの印字部、ドライバ部および給紙部のうち、２つの部位、たとえば印字部とドライバ部を一つのユニット構成とすることで、プリンタをインストルメントパネルの収納部へ分割して装着させることを可能にする。
【００１２】
また、請求項３にかかる電子機器では、車両のインストルメントパネルに設けられた収納部に収納される電子機器において、情報の印字を行う情報印字手段と、情報表示を行う表示部と、前記表示部を回動させる回動手段とを備えており、前記回動手段による前記表示部の回動動作に連動し、前記情報印字手段を駆動させることを特徴とする。
【００１３】
この発明によれば、プリンタと表示部をインストルメントパネルの収納部に収納させるとともに、プリンタをチルトタイプの表示部の同じ回動手段によって駆動させることで、回動手段の共有を図る。
【００１４】
また、請求項４にかかる電子機器では、前記情報印字手段は、前記回動手段に歯合する歯合手段を備えており、前記歯合手段により前記回動手段による前記表示部の回動動作に連動させて、前記情報印字手段を駆動させることを特徴とする。
【００１５】
この発明によれば、プリンタを歯合手段を介在させて表示部の回動手段に連動させて駆動させることで、回動手段の共有を図る。
【００１６】
また、請求項５にかかる電子機器では、車両のインストルメントパネルに設けられた収納部に収納される電子機器において、情報表示を行う表示部と、前記表示部を回動させる回動手段と、情報の印字を行う情報印字手段とを備えており、前記表示部の裏面に前記情報印字手段が配設されてなることを特徴とする。
【００１７】
この発明によれば、表示部をインストルメントパネルの収納部に格納させるとともに、プリンタを表示部の裏面に配設して、プリンタと表示部を一体構成にし、スペースの有効利用を図る。
【００１８】
また、請求項６にかかる情報印字システムでは、車両のインストルメントパネルの収納部に着脱可能に収納された複数の車両搭載電子機器と、前記複数の車両搭載電子機器を制御するための操作盤とを備えるとともに、前記操作盤は、前記車両搭載電子機器から所定情報を取り込む情報取込手段と、前記車両搭載電子機器から取り込まれた情報を、一時記憶させる記憶手段とを備えており、前記操作盤に情報印字装置が接続されると、前記記憶手段に記憶されている情報を、前記情報印字装置によって印字させることを特徴とする。
【００１９】
この発明によれば、たとえばインストルメントパネルの収納部に収納された車両搭載電子機器とプリンタを交換するなどによって、操作盤にプリンタが接続される場合に、この車両搭載電子機器から所定情報を一旦記憶手段に記憶させておき、プリンタをこの収納部に収納させた時に、このプリンタを用いて記憶手段に記憶されている情報を印字させることで、車両搭載電子機器の情報を確実に出力させることが可能となる。
【００２０】
【発明の実施の形態】
以下に図１〜図１０の添付図面を参照して、この発明にかかる情報印字システムの好適な実施の形態を説明する。
【００２１】
（実施の形態１）
図１は、この発明にかかるインストルメントパネルの一例の概略分解斜視図である。図１において、インストルメントパネル３０は、この発明にかかる車両搭載電子機器５０，６０が収納される収納部３１，３２が形成され、これら収納部３１，３２の前面には、取付カバー３３が固設されている。また、これら収納部３１，３２の側壁３４〜３７には、奥行き方向にガイド３８〜４１が設けられている。さらに、この収納部３２の下方には、操作盤７０が収納される収納部４２も形成されている。
【００２２】
車両搭載電子機器５０，６０は、同一形状からなり、舌片形状のブラケット５１，５２および６１，６２がそれぞれ長手方向の前側に設けられている。また、車両搭載電子機器５０，６０の側面５３，５４および６３，６４には、長手方向に沿って溝部５５，５６および６５，６６がそれぞれ設けられている。この実施の形態では、車両搭載電子機器５０，６０を収納部３１，３２に収納するときに、溝部５５，５６および６５，６６がガイド３８〜４１にそれぞれ係合して、車両搭載電子機器５０，６０が収納部３１，３２に挿入され、舌片形状のブラケット５１，５２および６１，６２が取付カバー３３にねじ止めされることによって、車両搭載電子機器５０，６０を収納部３１，３２内に固定している。
【００２３】
この車両搭載電子機器５０，６０には、たとえばカーナビゲーション装置、ＣＤプレーヤ装置、ＤＶＤプレーヤ装置、ＭＤプレーヤ装置などの他に、プリンタなどの情報印字装置が含まれている。また、この車両搭載電子機器５０，６０を収納可能にするため、収納部３１，３２の内部には、車両の図示しないハーネスとこの車両搭載電子機器５０，６０とを電気的に接続させるコネクタ４３，４４が設けられ、車両搭載電子機器５０，６０のコネクタ５７，６７と接続されている。
【００２４】
このような状態で、たとえば図２の斜視図に示す車両搭載電子機器６０を、他の車両搭載電子機器と交換する場合には、まずブラケット６１，６２のねじ止めを外し、車両搭載電子機器６０を収納部３２の手前まで移動させて接続されているコネクタ４４，６７同士を切り離す。次に、他の車両搭載電子機器のコネクタを収納部３２内のコネクタ４４に接続させ、さらにこの車両搭載電子機器の溝部を収納部３２内のガイド４０，４１に係合させて、車両搭載電子機器を収納部３１，３２に挿入してブラケットを取付カバー３３にねじ止めすることで、車両搭載電子機器を交換することが可能となる。
【００２５】
このように、この実施の形態では、装着部のブラケットと、支持部を構成する溝部とガイドによって、車両搭載電子機器を収納部に固定するので、インストルメントパネルに収納された車両搭載電子機器の交換を容易に行うことができる。
【００２６】
図３は、この発明にかかる車両搭載電子機器の一つであるプリンタの概略構成の第１例を示す斜視図である。図３において、このプリンタ８０は、たとえばインクジェット方式を用いて用紙に印字を行う印字部８１と、印字部８１にこの用紙を供給する給紙部８２と、印字部８１および給紙部８２を駆動させるドライバ部８３とから構成されており、これら各部位は、それぞれ別体のユニットからなり、収納部３１（３２）の奥行き方向で手前から印字部８１、給紙部８２、ドライバ部８３の順に一列に配置されて互いに接合されている。
【００２７】
これら印字部８１、給紙部８２、ドライバ部８３の側面８１ａ〜８３ａおよび８１ｂ〜８３ｂの長手方向には、共通の溝部８４，８５が設けられており、この溝部８４，８５は、ガイド３８〜４１に係合できる高さにある。印字部８１の前面８１ｅには、印字の終了した用紙Ａを出力する出力口８１ｆが開口しており、この印字部８１の前面８１ｅの幅Ｈ１および高さｈ１が、収納部３１（３２）の幅および高さに等しくなっている。これにより、共通の溝部８４，８５は、収納部３１，３２に設けられたガイド３８〜４１と係合が可能となる。また、印字部８１は、側面８１ａ，８１ｂにブラケット８１ｃ、８１ｄが固設されており、取付カバー３３とのねじ止めが可能になっている。
【００２８】
給紙部８２は、内部に用紙Ａが収納され、ドライバ部８３の駆動制御により、ローラ８２ｃを駆動させてこの用紙Ａを１枚ずつ印字部８１に供給している。また、ドライバ部８３は、印字部８１や給紙部８２の駆動系の制御を行う図示しない制御基板やコネクタが設けられている。
【００２９】
このように、この実施の形態では、プリンタの各部位をユニットで構成してインストルメントパネルの収納部に収納することが可能となり、たとえこのいずれかのユニットが故障したり、給紙部の用紙がなくなったとしても、容易にプリンタを収納部から取り出すことができるので、故障したユニットの交換や用紙の補給を迅速に行うことができる。
【００３０】
（実施の形態２）
図４は、この発明にかかる車両搭載電子機器の一つであるプリンタの概略構成の第２例を示す斜視図である。なお、以下の図において、図３と同様の構成部分に関しては、説明の都合上、同一符号を付記するものとする。
【００３１】
図４において、このプリンタ８０は、印字部８１と、給紙部８２とから構成されており、これら部位はそれぞれ別体のユニットからなり、収納部３１（３２）の幅方向で左右に配置されている。なお、ドライバ部８３は、たとえば印字部８１の後方に配置されている。
【００３２】
これら印字部８１およびドライバ部８３の側面８１ａ，８３ａおよび８１ｂ，８３ｂの長手方向には、共通の溝部８６，８７が設けられており、これら溝部８６，８７は、ガイド３８〜４１と係合できる高さにある。また、給紙部８２の側面８２ａの長手方向には、溝部８８が設けられ、側面８２ｂの長手方向には、ガイド８９が設けられており、この溝部８８およびガイド８９は、収納部３１，３２に収納された時にガイド４０，４１と同じ高さにある。
【００３３】
印字部８１およびドライバ部８３の側面８１ａ，８３ａと給紙部８２の側面８２ｂは接合しており、溝部８６とガイド８９は係合しており、側面８２ｂ，８３ａの接合面の所定位置には、用紙Ａの通過口９０が開口しており、給紙部８２内に設けられたローラ８２ｃの駆動によって用紙Ａが１枚ずつドライブ部８３に供給されている。
【００３４】
印字部８１の前面８１ｅには、印字の終了した用紙Ａを出力する出力口８１ｆが開口しており。この印字部８１の前面８１ｅの高さｈ２およびこの前面の幅に給紙部８２の幅を加えた幅Ｈ２が収納部３１（３２）の幅および高さに等しくなっている。これにより、溝部８７，８８は、収納部３１，３２に設けられたガイド３８〜４１と係合が可能となる。また、印字部８１の側面８１ｂには、ブラケット８１ｄが固設され、給紙部８２の側面８２ａにはブラケット８２ｄが固設されており、取付カバー３３とのねじ止めが可能になっている。
【００３５】
また、ドライバ部８３は、用紙Ａを印字部８１に供給するローラ８３ｃが設けられ、ドライバ部８３の駆動制御により、ローラ８３ｃを駆動させてこの用紙Ａを１枚ずつ印字部８１に供給している。
【００３６】
このように、この実施の形態でも、プリンタの各部位をユニットで構成してインストルメントパネルの収納部に収納することが可能となり、たとえこのいずれかのユニットが故障したり、給紙部の用紙がなくなったとしても、容易にプリンタを収納部から取り出すことができるので、実施の形態１と同様に、故障したユニットの交換や用紙の補給を迅速に行うことができる。
【００３７】
なお、図４のプリンタ８０は、給紙部８２がローラ８２ｃの駆動機構を用いて用紙Ａの自動給紙を行っているが、この発明はこれに限らず、たとえば図５、図６に示すプリンタ８０の第３例のように、手動で給紙部８２から取得した用紙Ａを、印字部８１の前面８１ｅに開口された入力口８１ｇから挿入して、インクジェットヘッダ８１ｈによる印字後に、ローラ８１ｉで印字部内部に設けた用紙ガイド８１ｊに沿って搬送させて、出力口８１ｆから出力するように構成することも可能である。
【００３８】
このプリンタの第３例も、第２例と同様に、たとえこの印字部、給紙部、ドライバ部のいずれかのユニットが故障したり、給紙部の用紙がなくなったとしても、容易にプリンタを収納部から取り出すことができるので、故障したユニットの交換や用紙の補給を迅速に行うことができる。
【００３９】
（実施の形態３）
車両のコンソールは、ＤＩＮ規格に準じた規格になっており、従来２ＤＩＮ規格で規定されていた。これに伴って、カーナビゲーションのディスプレイの規格もこの２ＤＩＮに準じたものであった。しかし、近年ディスプレイのワイド化が進み、図７（ａ）に示すように、２ＤＩＮより大きな規格のディスプレイ７１が提供されるようになってきた。
【００４０】
このような規格のものでは、将来の大型化の規格を考慮して、ディスプレイ後方の収納部もこれに合わせて大きな規格のものがあるが、これまでのカーナビゲーション装置１５０は、２ＤＩＮのままの状態にあり、通常では収納部の左右の空きスペースに操作用のボタンを配置していた。
【００４１】
そこで、この発明では、図７（ｂ）に示すように、カーナビゲーション装置本体１２０の左右に配置された操作用ボタンを取り除くとともに、ディスプレイ７１をタッチパネル操作によるものとし、この空きスペースにプリンタ８０の印字部８１と、たとえばロール紙による給紙部８２とを配置した。なお、この実施の形態では、設置スペースの点を考慮して、このプリンタ８０を縦にして使用することとなる。なお図７（ａ）は、収納部３１の前方にディスプレイ７１が起立している状態を示す。図７（ｂ）は、ディスプレイ７１が倒された状態のカーナビゲーション装置１５０とプリンタ８０を示したものである。
【００４２】
このように、この実施の形態では、ワイド画面のディスプレイ後方の車両搭載電子機器を介在させて、収納部の幅方向で左右側の収納部にプリンタの印字部と給紙部を収納させることで、プリンタをユニット毎に分割して装着させることが可能になった。
【００４３】
なお、この実施の形態では、カーナビゲーション装置１５０を中央に設けて、その左右に印字部８１と給紙部８２を配置させたが、この発明はこれに限らず、たとえばカーナビゲーション装置１５０を左右のいずれか一方によせて設け、印字部８１と給紙部８２を並べて配置することも可能である。
【００４４】
（実施の形態４）
図８は、プリンタの概略構成の第５例を示す上面図である。この実施の形態では、ディスプレイ７１の裏面７２にプリンタ８０の印字部８１と、ドライバ部８３を配設して、ディスプレイ７１と一体に構成させたものである。なお、この実施の形態では、たとえば印字機構が簡単で軽量の印字部を用いるのが好ましい。
【００４５】
このように、この実施の形態では、プリンタを表示部の裏面に配設して、プリンタと表示部とを一体構成にしたので、スペースの有効利用を図ることができる。
【００４６】
（実施の形態５）
図９は、プリンタの用紙の搬送機構を示す構成図である。この実施の形態では、ディスプレイ７１のチルトの上下運動を利用して、プリンタ８０の用紙搬送の駆動を行うものである。すなわち、プリンタ８０はカーナビゲーション装置１５０に内蔵され、図９において、プリンタ８０の印字部８１の図示しない搬送ローラは、歯車９１と図示しないワンウェイクラッチを介して接続されており、歯車９１はラック９２と歯合している。
【００４７】
このラック９２の一端９２ａには、ディスプレイ７１の下端が回動可能に取り付けられており、このラック９２は、モータ９３の駆動に連動するピニオン９４の回動によって、図中の矢印１と２の長手方向に移動を繰り返している。この移動のうち、ラック９２の矢印１の方向の移動に対して、ディスプレイ７１は、伏せた状態に状態遷移し、またラック９２の矢印２の方向の移動に対して、ディスプレイ７１は、起立した状態に状態遷移する。
【００４８】
印字部８１のローラは、一方向にのみ回転するワンウェイクラッチおよび歯車９１を介してラック９２と係合しているので、ラック９２の矢印２の方向への移動に対しては回転せずに、ラック９２の矢印１の方向への移動に対しては回転して、用紙Ａを矢印方向に搬送する。
【００４９】
ユーザは、例えば、ディスプレイ７１に設けられたハードスイッチやタッチスイッチまたはインストルメントパネル３０の収納部３２下部に設けられた操作盤７０（図１参照）を使用して、モータ９３の駆動制御を行い、印字部８１から用紙Ａが出力し終わるまで、ディスプレイ７１のチルト動作を繰り返し行う。なお、この用紙の搬送機構および印字部８１は、インストルメントパネル３０の収納部３２に収納されている。
【００５０】
このように、この実施の形態では、カーナビゲーション装置１５０に内蔵されたプリンタの印字部とチルトタイプの表示部を同じ駆動部によって駆動させるので、駆動部の共有を図ることができるとともに、カーナビゲーション装置１５０とプリンタ８０を一体構成にできる。これにより、スペースの有効利用を図ることができる。なお、モータ９３の駆動力を選択的にラック９２または歯車９１に伝達する伝達機構を使用することにより、モータ９３だけを兼用する構成も可能で、その場合には表示部などの無駄な動きがなくなる。
【００５１】
（実施の形態６）
図１０は、この発明にかかる情報印字システムの構成を示すシステム構成図である。図において、表示装置１００、カーナビゲーション装置１０１、ＣＤプレーヤ１０２およびＭＤプレーヤ１０３は、インストルメントパネル３０の収納部３１に収納されており、これらの車両搭載電子機器は、ユーザによってなされる操作盤１１０からの指示入力に基づいて、所定の動作を行っている。
【００５２】
操作盤１１０は、ユーザによる入力操作を行う操作部１１１と、データの一時記憶を行うメモリ１１２と、インターフェース１１４または操作部１１１から入力するデータ処理を行うデータ処理部１１３と、各車両搭載電子機器と接続されるインターフェース１１４とから構成されている。
【００５３】
ここで、このデータ処理部１１３は、このインストルメントパネル３０の収納部３１に収納された車両搭載電子機器、たとえばＭＤプレーヤ１０３と情報印字装置１０４を交換する場合に、ユーザによる操作部１１１の入力操作に基づいて、このＭＤプレーヤ１０３から所定情報を一旦操作盤１１０内のメモリ１１２に記憶させておく。そして、次に情報印字装置１０４がこの収納部２１に収納されて電気的に接続されると、データ処理部１１３は、この情報印字装置１０４を用いてメモリ１１２に記憶されている情報を印字させることで、車両搭載電子機器の情報を確実に出力させる。これ以外にカーナビゲーション装置１０１の情報、たとえば地図情報や経路情報、履歴情報をＭＤプレーヤ１０３と交換された情報印字装置１０４に出力する構成であっても良い。なお、この実施の形態において、操作盤１１０内のメモリに印字する情報を記憶させているが、これに限らず、他の装置のメモリに記憶させるようにしても良い。
【００５４】
このように、この実施の形態では、車両搭載電子機器を交換する際に、当該車両搭載電子機器からの情報を記憶する記憶部を操作盤に設け、この操作盤からの指示で記憶部の記憶制御や情報印字装置の印字制御を行うので、インストルメントパネルに収納された車両搭載電子機器の交換を容易に行うことができるとともに、車両搭載電子機器の情報を容易に印字することができる。また、この実施の形態においては、収納部３１，３２に各車両搭載電子機器を収納する構成であったが、これに限らず、各車両搭載電子機器を一体化した複合電子機器において、各機能をユニット化させ着脱可能にしたものにも適用することができる。
【００５５】
この発明は、これら実施形態に限定されるものではなく、この発明の要旨を逸脱しない範囲で種々の変形実施が可能であり、実施の形態１〜６を組み合わせることも可能である。
【００５６】
【発明の効果】
以上説明したように、この発明では、同一形状に構成された各車両搭載電子機器を、装着部および支持部によってインストルメントパネルの収納部に着脱可能に装着および支持させて固定するので、インストルメントパネルに収納された車両搭載電子機器の交換を容易に行うことができる。
【００５７】
この発明では、車両搭載電子機器が情報の印字を行う情報印字装置からなり、情報印字装置が別体のユニットに構成される印字部とドライバ部、または別のユニット構成の給紙部を有する場合には、印字部とドライバ部と給紙部を、ユニット単位でインストルメントパネルの収納部に装着させるので、情報印字装置を分割してインストルメントパネルの収納部に装着させることが可能になる。
【００５８】
この発明では、情報印字装置の各部位のうち、少なくとも１つの部位は、他の部位とインストルメントパネルの収納部の奥行き方向で前後に、または幅方向で左右に配置するので、インストルメントパネルへの収納の汎用性を高めることができる。
【００５９】
この発明では、別体のユニットから構成される情報印字装置の印字部と給紙部を他の車両搭載電子機器を介在させてインストルメントパネルの収納部に収納させるので、情報印字装置を分割してインストルメントパネルの収納部に装着させることが可能になる。
【００６０】
この発明では、情報印字装置と表示装置をインストルメントパネルの収納部に収納させるとともに、情報印字装置の印字部と表示装置の表示部を同じ駆動部によって駆動させるので、駆動部の共有が図られる。
【００６１】
この発明では、表示装置をインストルメントパネルの収納部に格納させるとともに、情報印字装置を表示部の裏面に配設して、情報印字装置と表示部を一体構成にするので、スペースの有効利用が図られる。
【００６２】
この発明では、インストルメントパネルの収納部に収納された車両搭載電子機器と、情報印字装置を交換する場合に、この車両搭載電子機器から所定情報を一旦操作盤内の記憶部に記憶させておき、情報印字装置がこの収納部に収納された時に、この情報印字装置を用いて記憶部に記憶されている情報を印字させるので、車両搭載電子機器の情報を容易、かつ確実に出力させることができる。
【図面の簡単な説明】
【図１】この発明にかかるインストルメントパネルの一例の概略分解斜視図である。
【図２】この発明にかかる車両搭載電子機器の概略構成の一例を示す斜視図である。
【図３】この発明にかかる車両搭載電子機器の一つであるプリンタの概略構成の第１例を示す斜視図である。
【図４】この発明にかかる車両搭載電子機器の一つであるプリンタの概略構成の第２例を示す斜視図である。
【図５】この発明にかかる車両搭載電子機器の一つであるプリンタの概略構成の第３例を示す斜視図である。
【図６】図５に示したプリンタのＢ−Ｂ断面を示す断面図である。
【図７】この発明にかかる車両搭載電子機器の一つであるプリンタの概略構成の第４例を示す正面図である。
【図８】この発明にかかる車両搭載電子機器の一つであるプリンタの概略構成の第５例を示す上面図である。
【図９】プリンタの用紙の搬送機構を示す構成図である。
【図１０】この発明にかかる情報印字システムの構成を示すシステム構成図である。
【図１１】従来のインストルメントパネルの一例の分解斜視図である。
【符号の説明】
１０，１１  車両搭載電子機器
２０，３０  インストルメントパネル
２１，３１，３２，４２  収納部
２２  パネルカバー
３３  取付カバー
３４  側壁
３８〜４１，８９  ガイド
４３，４４，５７，６７  コネクタ
５０，６０  車両搭載電子機器
５１，５２  ブラケット
５３，５４  側面
５５，５６，８４〜８８  溝部
６１，６２，８１ｃ，８１ｄ，８２ｄ  ブラケット
７０  操作盤
７１  ディスプレイ
８０  プリンタ
８１  印字部
８１ａ，８１ｂ，８２ａ，８２ｂ，８３ａ  側面
８１ｅ  前面
８１ｆ  出力口
８１ｇ  入力口
８１ｈ  インクジェットヘッダ
８１ｉ，８２ｃ，８３ｃ  ローラ
８１ｊ  用紙ガイド
８２  給紙部
８３  ドライバ部
９０  通過口
９１  歯車
９２  ラック
９３  モータ
９４  ピニオン
１００  表示装置
１０１，１５０  カーナビゲーション装置
１０２  ＣＤプレーヤ
１０３  ＭＤプレーヤ
１０４  情報印字装置
１１０  操作盤
１１１  操作部
１１２  メモリ
１１３  データ処理部
１１４  インターフェース
１２０  カーナビゲーション装置本体
Ａ  用紙
【図１】
2004276812.tif 000003
【図２】
2004276812.tif 000004
【図３】
2004276812.tif 000005
【図４】
2004276812.tif 000006
【図５】
2004276812.tif 000007
【図６】
2004276812.tif 000008
【図７】
2004276812.tif 000009
【図８】
2004276812.tif 000010
【図９】
2004276812.tif 000011
【図１０】
2004276812.tif 000012
【図１１】
2004276812.tif 000013